(57)【要約】【課題】この発明は、通常の香りは最小限であり、必要なとき香ることができる香り発散機能を有する手鏡を提供する。【解決手段】この発明は、内側に鏡面を有する鏡部と、該鏡部の一辺に回転自在に接続されると共に、前記鏡面を開閉するカバー部からなる手鏡において、前記カバー部は、前記鏡面と対峙する内面を有する本体部と、該本体部の内面に所定の大きさ形成された香り成分保持部と、該香り成分保持部と前記鏡面との間に介在される覆い部とを具備することにある。【選択図】  図１
2007167491.tif 000002
【特許請求の範囲】
【請求項１】
内側に鏡面を有する鏡部と、該鏡部の一辺に回転自在に接続されると共に、前記鏡面を開閉するカバー部からなる手鏡において、
前記カバー部は、前記鏡面と対峙する内面を有する本体部と、該本体部の内面に所定の大きさ形成された香り成分保持部と、該香り成分保持部と前記鏡面との間に介在される覆い部とを具備することを特徴とする手鏡。
【請求項２】
前記覆い部は、弾性部材によって形成されると共に、その一辺が前記本体部に固定されることを特徴とする請求項１記載の手鏡。
【請求項３】
前記香り成分保持部は、前記本体部に形成された所定の形状の凹部と、該凹部に着脱自在に配される香り保持部材とによって構成されることを特徴とする請求項１又は２記載の手鏡。
【請求項４】
前記香り保持部材は、香り成分が含浸された紙、織布、不織布及び綿のいずれか一つであることを特徴とする請求項３記載の手鏡。
【請求項５】
前記香り保持部材は、香り成分が含浸されたテラコッタであることを特徴津する請求項３記載の手鏡。
【請求項６】
前記香り成分は、ハーブエッセンス、香水又はお香成分であることを特徴とする請求項４又は５記載の手鏡。
【請求項７】
前記香り保持部材は、香木をスライスした薄板であることを特徴とする請求項３記載の手鏡。
【請求項８】
前記香り保持部材は、薄板状に形成したお香であることを特徴とする請求項３記載の手鏡。
【発明の詳細な説明】
【技術分野】
【０００１】
この発明は、折り畳み式の手鏡において、香り発散手段を具備した手鏡に関する。
【背景技術】
【０００２】
特許文献１は、手鏡のハンドル部に設けた通気性を有する空所に香料を収容するものである。
【特許文献１】実開昭６２−１５９８１２号公報
【発明の開示】
【発明が解決しようとする課題】
【０００３】
従来の折り畳み式の手鏡に、上述した特許文献１で開示されるような香料を収容する場合、鏡部に香料が付着し、曇ってしまうという不具合が生じる。また、手鏡は、バッグ等に閉まって持ち運ぶために、通常は、香りは最小限にとどめることが望ましく、必要なときにだけ強く香ることが望ましい。
【０００４】
このため、この発明は、通常の香りは最小限であり、必要なとき香ることができる香り発散機能を有する手鏡を提供することにある。
【課題を解決するための手段】
【０００５】
このため、この発明は、内側に鏡面を有する鏡部と、該鏡部の一辺に回転自在に接続されると共に、前記鏡面を開閉するカバー部からなる手鏡において、前記カバー部は、前記鏡面と対峙する内面を有する本体部と、該本体部の内面に所定の大きさ形成された香り成分保持部と、該香り成分保持部と前記鏡面との間に介在される覆い部とを具備することにある。
【０００６】
また、前記覆い部は、弾性部材によって形成されると共に、その一辺が前記本体部に固定されることが望ましい。香り発散機能は、この覆い部の固定側の反対側に位置する部分を指で固定側に引き寄せることによって香り成分保持部の上部に空間を形成し、指を離して覆い部が弾性力によって元に戻る時に、香り成分保持部からの香り成分を発散させることができる。
【０００７】
さらに、前記香り成分保持部は、前記本体部に形成された所定の形状の凹部と、該凹部に着脱自在に配される香り保持部材とによって構成されることが望ましい。凹部の形状としては、円形、楕円形、方形、ハート型、星形等、香りのイメージにあった形状を選択することが望ましい。
【０００８】
さらにまた、前記香り保持部材は、香り成分が含浸された紙、織布、不織布及び綿のいずれか一つであり、またテラコッタ、素焼きの陶、セラミックであることが望ましい。さらに、香木をスライスした薄板、薄板状に形成されたお香でもよいものである。
【０００９】
また、前記香り成分は、ハーブエッセンス、香水又はお香成分であることが望ましい。ハーブエッセンスを用いることによって、リラクゼーション効果等、それぞれのハーブエッセンスが有する効果を得ることができる。
【発明の効果】
【００１０】
以上説明したように、この発明によれば、覆い部によって香り成分保持部が覆われるので、鏡部分への香料の付着を防止できると共に、収納状態での香り成分の飛散を最小限に抑えることができる。また、必要な時に覆い部をはじくことによって、香り成分を飛散させることができるので、必要な時に香りを楽しむことができる。
【発明を実施するための最良の形態】
【００１１】
以下、この発明の実施例について図面により説明する。
【実施例】
【００１２】
図１及び図２に示すように、本発明の実施例に係る手鏡１は、内側に鏡面４を有する鏡部２と、この鏡部２の一辺に回転自在に接続されると共に、前記鏡面４を開閉するカバー部３からなる。この実施例では、前記カバー部３は、前記鏡部２の周縁部２Ａ内部に嵌り込む形状となっており、前記カバー部３の一端に設けられた円筒部３Ｂに、前記鏡部２の一辺両端部から延出する保持部２Ｂが当接し、図示されないピン１１によって前記保持部２Ｂと前記円筒部３Ｂが係止されることで、回転自在に保持されるものである。また、図面上、鏡部２は、カバー部３に対して垂直に立設するように表現されているが、前記鏡部２の背面部分が前記カバー部３に当接する場所まで、１８０°以上開くようになっているものである。
【００１３】
前記カバー部３は、前記鏡面４と対峙する内面を有する本体部３Ａと、本体部の内面に所定の大きさ形成された香り成分保持部７と、この香り成分保持部７と前記鏡面４との間に介在される覆い部５とを具備する。
【００１４】
前記鏡部２の周縁部２Ａの前記カバー部３との接合部分の反対側には、カバー部３の開閉用爪部８が噛合する切欠部９が形成される。これによって、前記カバー部３の開閉が容易となる。
【００１５】
前記覆い部５は、合成樹脂シート等の弾性部材によって形成されると共に、その一辺がカバー部３の前記本体部３Ａに固定される。この手鏡１の香り発散機能は、図３に示すように、この覆い部５の固定側５Ａの反対側に位置する部分を指で固定側に引き寄せることによって香り成分保持部７の上部に空間１０を形成し、指を離して覆い部５が弾性力によって元に戻る時に、香り成分保持部７の空間１０からの香り成分を発散させることができる。
【００１６】
さらに、前記香り成分保持部７は、図４に示すように、前記本体部３Ａに形成された所定の形状の凹部６と、該凹部６に着脱自在に配される香り保持部材７とによって構成される。前記凹部６の形状としては、円形、楕円形、方形、ハート型、星形等、香りのイメージにあった形状を選択することができる。
【００１７】
さらにまた、前記香り保持部材７は、香り成分が含浸された紙、織布、不織布及び綿のいずれか一つであり、さらに香り成分が含浸されたテラコッタ、素焼きの陶、セラミックである。また、その香り成分は、ハーブエッセンス又は香水である。さらに、ハーブエッセンスを用いることによって、リラクゼーション効果等、それぞれのハーブエッセンスが有する効果を得ることができる。さらにまた、前記香り保持部材７は、香木をスライスした薄板、薄板状に形成されたお香でもよいものである。
【図面の簡単な説明】
【００１８】
【図１】本発明の実施例に係る手鏡の斜視図である。
【図２】本発明の実施例に係る手鏡の側面説明図である。
【図３】香り発散機能の説明図である。
【図４】香り成分保持部の説明図である。
【符号の説明】
【００１９】
１  手鏡
２  鏡部
２Ａ  縁部
２Ｂ  保持部
３  カバー部
３Ａ  本体部
３Ｂ  円筒部
４  鏡面
５  覆い部
６  凹部
７  香り保持部材
８  開閉用爪部
９  切欠部
１０  空間
１１  ピン
【図１】
2007167491.tif 000003
【図２】
2007167491.tif 000004
【図３】
2007167491.tif 000005
【図４】
2007167491.tif 000006